(57)【要約】      （修正有）【課題】編組電線を有するテーブルタップを提供する。【解決手段】本考案は、編組電線を有するテーブルタップを開示し、その主要な実施において、可動コンセント１０と、電源差込プラグ２０と、可動コンセント１０と電源差込プラグ２０との間に接続された電源コード３０とを備え、電源コード３０の外層に編組層３１が被覆され、編組層３１は、複数束のプラスチック繊維糸から織成された織物により形成されており、プラスチック繊維糸がポリエチレンテレフタラート（ＰＥＴ）繊維糸からなり、かつ編組層３１の両端が可動コンセント１０と電源差込プラグ２０との電線ブッシング４０に接続される。よって、編組層３１で被覆されてなる電源コード３０によれば、耐摩耗性、強靭性、耐引張性と耐衝撃性を増大させると共に、電源コード３０をより目立たせる目的が達成される。【選択図】図１
0003215216.tif 000002
【実用新案登録請求の範囲】
【請求項１】
可動コンセントと、電源差込プラグと、前記可動コンセントと前記電源差込プラグとの間に接続された電源コードとを備える編組電線を有するテーブルタップであって、
前記電源コードの断面構造は、前記可動コンセントと前記電源差込プラグとの間に接続された２本以上の金属導線と、前記２本以上の金属導線を被覆するプラスチック材質の絶縁層と、前記絶縁層を被覆するプラスチック材質の外被層とを含み、
前記外被層の外周面に編組層が被覆され、前記編組層は、複数束のプラスチック繊維糸から織成された織物により形成されており、前記編組層の両端が前記可動コンセントと前記電源差込プラグとに接続されることを特徴とする、編組電線を有するテーブルタップ。
【請求項２】
前記編組層の当該プラスチック繊維糸は、ポリエチレンテレフタラート（Ｐｏｌｙｅｔｈｙｌｅｎｅ  Ｔｅｒｅｐｈｔｈａｌａｔｅ，ＰＥＴ）繊維糸であることを特徴とする、請求項１に記載の編組電線を有するテーブルタップ。
【請求項３】
前記編組層の当該プラスチック繊維糸は、ナイロン（Ｎｙｌｏｎ）繊維糸であることを特徴とする、請求項１に記載の編組電線を有するテーブルタップ。
【請求項４】
前記編組層の当該プラスチック繊維糸は、ポリエチレンテレフタラート（Ｐｏｌｙｅｔｈｙｌｅｎｅ  Ｔｅｒｅｐｈｔｈａｌａｔｅ，ＰＥＴ）繊維糸とナイロン（Ｎｙｌｏｎ）繊維糸との混紡糸であることを特徴とする、請求項１に記載の編組電線を有するテーブルタップ。
【請求項５】
前記編組層は、異なる色の前記複数束のプラスチック繊維糸から織成された織物により形成されていることを特徴とする、請求項２〜４のいずれか１項に記載の編組電線を有するテーブルタップ。
【請求項６】
前記電源コードの両端にそれぞれ電線ブッシングが設けられ、各前記電線ブッシングの第１端が前記可動コンセントと前記電源差込プラグとに係止され、各前記電線ブッシングの第２端で前記編組層を被覆することを特徴とする、請求項１に記載の編組電線を有するテーブルタップ。
【請求項７】
前記電源コードの断面構造は、前記可動コンセントと前記電源差込プラグとの間に接続された３本の金属導線を含むことを特徴とする、請求項１に記載の編組電線を有するテーブルタップ。
【請求項８】
前記可動コンセントには、ＵＳＢ接続ポートを具備することを特徴とする、請求項１に記載の編組電線を有するテーブルタップ。
【考案の詳細な説明】
【技術分野】
【０００１】
本考案は、テーブルタップに係り、特に、電気機器の電線の差込接続のために用いられるテーブルタップ（Ｐｏｗｅｒ  ｓｔｒｉｐ）に関し、さらに、テーブルタップの電源コードの表面に編組構造が被覆される改良に関する。
【背景技術】
【０００２】
現今のテーブルタップは、単一のコンセントで複数台の電気機器の電源コードの差込接続のために用いられる供給装置であって、その主要な構造は、１本の電源コードを備え、電源コードの一端が可動コンセントに接続され、他端が差込プラグに接続され、その中、前記可動コンセントのハウジングに複数組の電源差込孔が設けられ、ハウジング内部に前記電源コードと接続するための端子が設けられる。これにより、使用者が一端の差込プラグを壁上の固定式電源コンセントに差し込むために提供されてから、電気機器の電線の差込プラグを前記可動コンセントの電源差込孔に差し込むので、単一の固定式電源コンセントは単一の電気機器の使用のみに供給される問題、及び電気機器の距離が遠すぎて固定式電源コンセントに繋がらない問題を解決することができ、それを使用する際に、電流とパワーのみに気をつければ、電流の過負荷を回避することができ、電源コードの破損、絡み合いまたは他の物による押し付けを予防することができ、実に便利で安全な電気製品である。
【考案の概要】
【考案が解決しようとする課題】
【０００３】
上記した現今のテーブルタップの電源コード部分は、プラスチック絶縁層を使用して内部の導線を被覆し、その外部を再び１層のプラスチックを使用して作製された電線皮膜で包囲してなり、上述の絶縁層と電線皮膜は、耐摩耗性が乏しく、かつ強靭性が不十分である上、耐引張性と耐衝撃の特性にも劣っている。そのため、電源コードの破損を招きやすくなるほか、感電発生または電線発火などの危険も引き起こしやすくなる。従って、如何にしてテーブルタップの電源コード部分の欠点を改善するかが、本考案が早急に克服すべき課題である
【課題を解決するための手段】
【０００４】
従来のテーブルタップの電源コード部分の技術上の問題を解決するために、本考案は、編組電線を有するテーブルタップを提供しようとしてなされたものであって、その好適な技術的手段は、以下のように構成されている。
【０００５】
かかる編組電線を有するテーブルタップは、可動コンセントと、電源差込プラグと、前記可動コンセントと前記電源差込プラグとの間に接続された電源コードとを備え、その中、前記電源コードの断面構造は、前記可動コンセントと前記電源差込プラグとの間に接続された２本以上の金属導線と、前記２本以上の金属導線を被覆するプラスチック材質の絶縁層と、前記絶縁層を被覆するプラスチック材質の外被層とを含み、前記外被層の外周面に編組層が被覆され、前記編組層は、複数束のプラスチック繊維糸から織成された織物により形成されており、前記編組層の両端が前記可動コンセントと前記電源差込プラグとに接続されることを特徴とするものである。
【０００６】
その中、前記編組層のプラスチック繊維糸は、ポリエチレンテレフタラート（Ｐｏｌｙｅｔｈｙｌｅｎｅ  Ｔｅｒｅｐｈｔｈａｌａｔｅ，ＰＥＴ）繊維糸である。また、前記電源コードの両端にそれぞれ電線ブッシングが設けられ、各前記電線ブッシングの第１端が前記可動コンセントと電源差込プラグとに係止され、各前記電線ブッシングの第２端で前記編組層を被覆する。
【考案の効果】
【０００７】
本考案の編組電線を有するテーブルタップは、電源コードの表面の編組層の設計によれば、編組層で電源コードの外被層を被覆させ、かつ編組層の両端が電線ブッシングに結合されることによって、電源コードの耐摩耗性、強靭性を増大させると共に、電源コードの耐引張と耐衝撃の特性を向上させることができる。そのほか、前記編組層は、複数種の色のプラスチック繊維糸から織成された織物により形成されているものを採用することで、テーブルタップの電源コードをより目立たせることができる。
【図面の簡単な説明】
【０００８】
【図１】本考案に係る２本の導線が配置されたテーブルタップの実施例の正面斜視模式図である。
【図２】本考案に係る２本の導線が配置されたテーブルタップの実施例の背面斜視模式図である。
【図３】本考案に係る３本の導線が配置されたテーブルタップの実施例の断面斜視模式図である。
【図４】本考案に係る２本の導線が配置されたテーブルタップの実施例の断面模式図である。
【図５】本考案に係る３本の導線が配置されたテーブルタップの実施例の断面を示す模式図である。
【図６】本考案に係る電源コードの端部が電線ブッシングに結合されている実施例を示す模式図である。
【図７】本考案に係る可動コンセントの別の実施例を示す模式図である。
【考案を実施するための形態】
【０００９】
図１、図２及び図３を参照し、これらの図に示すように、本考案の編組電線を有するテーブルタップは、その好適な具体的実施例において、可動コンセント１０と、電源差込プラグ２０と、前記可動コンセント１０と前記電源差込プラグ２０との間に接続された電源コード３０とを備える。その中、前記可動コンセント１０は、絶縁ハウジング１１を具備し、前記絶縁ハウジング１１の正面に複数組の電源差込孔１２が設けられ、各組の電源差込孔１２は、２つ一組または３つ一組の差込孔として実施可能であり、各組の電源差込孔１２は、前記絶縁ハウジング１１内部の端子（未図示）に対応する。前記電源差込プラグ２０は、２枚の金属差込ピン２１（または３枚の金属差込ピン）と、それらの金属差込ピン２１を被覆する絶縁体２２とを具備するように実施可能である。特に、前記電源コード３０の外被に編組層３１が被覆され、かつ編組層３１の両端が前記可動コンセント１０と前記電源差込プラグ２０とにまで延在するように形成されることで、電源コード３０全体に亘って編組層３１が被せ付けられている。
【００１０】
より具体的実施例において、前記電源コード３０の断面構造は、前記可動コンセント１０と前記電源差込プラグ２０との間に接続された２本（図１及び図４参照）または３本（図３及び図５参照）の金属導線３２と、それらの金属導線３２を被覆するプラスチック材質の絶縁層３３と、前記絶縁層３３を被覆するプラスチック材質の外被層３４とを含む。金属導線３２は、複数束の銅線から構成されることが好ましい。前記絶縁層３３は、ポリ塩化ビニル（Ｐｏｌｙｖｉｎｙｌ  Ｃｈｌｏｒｉｄｅ，ＰＶＣ）プラスチックを選択して構成されることが好ましい。前記外被層３４も、ＰＶＣプラスチックから構成されてもよい。よって、前記外被層３４の外周面に上記の前記編組層３１が被覆され、前記編組層３１は、複数束のプラスチック繊維糸から織成された織物により形成されているものであると共に、前記編組層３１の両端が前記可動コンセント１０と前記電源差込プラグ２０とに接続されることが好ましい。このようにして本考案の編組電線を有するテーブルタップが構成される。
【００１１】
上記のように、前記編組層３１のプラスチック繊維糸は、ポリエチレンテレフタラート（Ｐｏｌｙｅｔｈｙｌｅｎｅ  Ｔｅｒｅｐｈｔｈａｌａｔｅ，ＰＥＴ）繊維糸、またはナイロン（Ｎｙｌｏｎ）繊維糸、あるいはＰＥＴ繊維糸とナイロン（Ｎｙｌｏｎ）繊維糸との混紡糸から選択して構成されることが好ましい。さらに、前記編組層３１は、異なる色の複数束のプラスチック繊維糸から織成された織物により形成されているものであってもよい。このようにして編組層３１で前記外被層３４の外周面を被覆させることができる。またさらに、図１及び図６を参照し、これらの図に示すように、上記の前記電源コード３０の両端にそれぞれ電線ブッシング４０が設けられ、各前記電線ブッシング４０の第１端が前記可動コンセント１０と電源差込プラグ２０とに係止され、各前記電線ブッシング４０の第２端で前記編組層３１を被覆して固定するようにすることによって、編組層３１が両端から退避するのを防止することができる。
【産業上の利用可能性】
【００１２】
そのほか、明言すべきことは、本考案の前記可動コンセント１０の規格と仕様に制限されるものではなく、図１及び図２に示すように、前記可動コンセント１０を、正面に２孔一組の２組の電源差込孔１２と背面に２孔一組の１組の電源差込孔１２の型式で実施することができる。または、図３に示すように、前記可動コンセント１０を、同一方向に配列された複数組の電源差込孔１２の型式で実施することができる。前記電源差込孔１２をも同様に、２孔一組または３孔一組の型式で実施することができる。あるいは、図７に示すように、前記可動コンセント１０の選定箇所に複数組の電源差込孔１２と１個以上のＵＳＢ接続ポート１３の型式で実施されてもよい。従って、本考案の可動コンセント１０は、安全規制及び規格に準拠できればよいので、その型式、規格と仕様などについてはこだわらずに変更することも可能である。
【符号の説明】
【００１３】
１０：可動コンセント
１１：絶縁ハウジング
１２：電源差込孔
１３：ＵＳＢ接続ポート
２０：電源差込プラグ
２１：金属差込ピン
２２：絶縁体
３０：電源コード
３１：編組層
３２：金属導線
３３：絶縁層
３４：外被層
４０：電線ブッシング
【図１】
0003215216.tif 000003
【図２】
0003215216.tif 000004
【図３】
0003215216.tif 000005
【図４】
0003215216.tif 000006
【図５】
0003215216.tif 000007
【図６】
0003215216.tif 000008
【図７】
0003215216.tif 000009